(57)【要約】本発明は明瞭に表現された方法で相互接続するラチスの部材を含んでいるラチスの支持構造に関する。ラチスの支持構造は、この支持構造の長手方向に伸びるラチス棒１０及びこのラチス棒１０を接続しているラチス棒２０，３０を備えている。ラチス棒１０間の間隔が、この支持構造が外へ折り畳まれるときに増加し、内側へ折り畳まれるときに減少できるように、接続ラチス棒２０，３０を直接又は間接的に、長手方向に伸びるラチス棒１０に接続する。
2010504454.tif 000002
【特許請求の範囲】
【請求項１】
互いに回転可能に接続されるラチス棒を有するラチスの支持構造において、
上記ラチスの支持構造の長手方向に伸びるラチス棒（１０）と、
上記ラチス棒（１０）を接続するラチス棒（２０，３０）とを備え、
上記接続ラチス棒（２０，３０）は、直接又は間接的に上記ラチス棒(１０)に接続され、
上記ラチス棒(１０)は、該ラチス棒(１０)の間隔を、上記ラチスの支持構造を内向きに折り畳むことで減少することができ、互いに距離を隔てて保つことで増加できるように、長手方向に伸びている
ことを特徴とするラチスの支持構造。
【請求項２】
請求項１のラチスの支持構造において、
上記長手方向に伸びるラチス棒（１０）が、上記ラチスの支持構造の外縁端を形成する
ことを特徴とするラチスの支持構造。
【請求項３】
請求項１又は２のラチスの支持構造において、
上記接続ラチス棒（２０，３０）が、少なくとも上記ラチスの支持構造の互いに距離を隔てて保たれた状態のラチスの支持構造の外面に配置されている
ことを特徴とするラチスの支持構造。
【請求項４】
請求項１〜３のうちの１つのラチスの支持構造において、
上記接続ラチス棒（２０，３０）は、１つの又は複数の部品で構成される
ことを特徴とするラチスの支持構造。
【請求項５】
請求項１〜４のうちの１つのラチスの支持構造において、
上記ラチスの支持構造の互いに距離を隔てて保たれた状態の長手方向に伸びるラチス棒（１０）に向かう第１の方向に伸び、直接又は間接的に互いに回転可能に接続される２つ又は２つ以上の部品を含む第１の接続ラチス棒（２０）が設けられ、
上記ラチスの支持構造の互いに距離を隔てて保たれた状態の長手方向に伸びるラチス棒(１０)に対して斜めに伸びる第２の接続ラチス棒（３０）が設けられ、
長手方向に伸びる２本のラチス棒（１０）が、少なくとも１本の第１の接続ラチス棒(２０)及び少なくとも１本の第２の接続ラチス棒（３０）によって互いに接続されている
ことを特徴とするラチスの支持構造。
【請求項６】
請求項５のラチスの支持構造において、
長手方向に伸びる２本のラチス棒（１０）が、上記互いに距離を隔てて保たれたラチスの支持構造の状態で十字形に伸びるように配置された第２の接続ラチス棒（３０）によって互いに接続されている
ことを特徴とするラチスの支持構造。
【請求項７】
請求項５又は６のラチスの支持構造において、
上記第２の接続ラチス棒（３０）は、２つ又は複数の部品で構成され、
第１部品（３２）が第２部品（３４）に、該第１部品（３２）及び第２部品（３４）を相対的に回転可能とする継手（３３）で接続され、
上記第１部品（３２）は、上記長手方向に伸びるラチス棒(１０)に回転可能に接続されるように配置されており、
互いに相対的に回転可能な２つ又はそれ以上の部品（４１，４２）よりなり、第２の接続ラチス棒（３０）を第１の接続ラチス棒(２０)に接続し、両方のラチス棒（２０，３０）に回転可能に接続される、接続支柱（４０）が設けられている
ことを特徴とするラチスの支持構造。
【請求項８】
請求項５〜７のうちの１つのラチスの支持構造において、
上記第１の接続ラチス棒（２０）は、上記長手方向に伸びるラチス棒(１０)に垂直に又は実質的に垂直に伸びている
ことを特徴とするラチスの支持構造。
【請求項９】
請求項７又は８のラチスの支持構造において、
上記接続支柱（４０）は、上記第２の接続ラチス棒（３０）の第１部品(３２)を上記第２部品(３４)に接続する継手（３３）に接続されている
ことを特徴とするラチスの支持構造。
【請求項１０】
請求項７〜９のうちの１つのラチスの支持構造において、
第２の接続ラチス棒（３０）の上記第１部品（３２）を上記第２部品（３４）に接続する継手（３３）は、長手方向に伸びる隣接するラチス棒(１０)から離れる方向にのみ回転可能に構成されている
ことを特徴とするラチスの支持構造。
【請求項１１】
請求項１０のラチスの支持構造において、
上記第１又は第２部品（３２，３４）は、溝（３６）及び溝基部（３７）を備え、
上記第１又は第２部品（３２，３４）の他方（３４，３２）が上記溝（３６）に回転可能に支持される突起（３８）を有し、
上記溝基部（３７）で上記突起（３８）の回転角度が規制される
ことを特徴とするラチスの支持構造。
【請求項１２】
請求項７〜１１のうちの１つのラチスの支持構造において、
第１の間隔では互いに回転可能で、且つ該第１の間隔よりも小さい第２の間隔では互いに回転可能でないように、上記接続支柱（４０）の上記部品（４１，４２）が互いに回転可能に接続される
ことを特徴とするラチスの支持構造。
【請求項１３】
請求項１２のラチスの支持構造において、
上記第１又は第２部品（４１，４２）は溝（４７）を有し、該部品（４２，４１）の他方は上記溝（４７）に移動不能に支持されるボルト（４８）を有し、
上記溝（４７）は、近位端（４７ａ）及び遠位端（４７ｂ）を有しており、
上記ボルト（４８）が上記溝（４７）の近位端（４７ａ）に位置するときに、上記部品（４１，４２）の回転を防止するように、係止手段（４９）が設けられている
ことを特徴とするラチスの支持構造。
【請求項１４】
請求項５〜１３のうちの１つのラチスの支持構造において、
上記第２の接続ラチス棒（３０）は、１つの又は複数の部品によって構成される
ことを特徴とするラチスの支持構造。
【請求項１５】
請求項５〜１４のうちの１つのラチスの支持構造において、
上記第２の接続棒（３０）は、互いに交わる点で接続されていない
ことを特徴とするラチスの支持構造。
【請求項１６】
請求項５〜１３のうちの１つのラチスの支持構造において、
上記第２の接続棒（３０）は、互いに交わる点で接続されている
ことを特徴とするラチスの支持構造。
【請求項１７】
請求項５〜１６のうちの１つのラチスの支持構造において、
スリーブ（７０）が長手方向に移動不能に配置されると共に、第２の接続ラチス(３０)が回転可能に接続される案内棒（６０）が設けられている
ことを特徴とするラチスの支持構造。
【請求項１８】
請求項１〜１７のうちの１つのラチスの支持構造において、
２つ又は複数の部品で形成されるラチス棒（９０）を備え、
上記ラチス棒（９０）は、上記長手方向に伸びるラチス棒(１０)に回転可能に接続され、
先端が、ラチス棒（９０）の２つ又はそれ以上の部品を接続している継手（９２）により形成される三角形を形成するように、２つ又はそれ以上の部品が接続されている
ことを特徴とするラチスの支持構造。
【請求項１９】
請求項１８のラチス支持構造において、
三角形を形成するラチス棒（９０，９１）が設けられ、
上記ラチス棒（９０，９１）は、先端が、互いに距離を隔てて保たれるラチスの支持構造の状態で、互いの方へ収束するように配置されている
ことを特徴とするラチスの支持構造。
【請求項２０】
請求項５〜１７のうちの１つのラチスの支持構造において、
上記第２の接続ラチス棒（３０）は、２つの又は複数の部品によって構成され、
上記２つ又はそれ以上の部品は、該２つ又はそれ以上の部品を回転可能に接続する回転可能なディスク（１００，１１０）によって互いに接続されている
ことを特徴とするラチスの支持構造。
【請求項２１】
請求項２０のラチスの支持構造において、
２枚のディスク（１００，１１０）が異なる方向に回転可能に設けられ、
上記ラチス棒(３０)の部品が、いずれか一方のディスク（１００）に回転可能に接続され、
上記ラチス棒(３０)の部品と交差している上記ラチス棒（３０）の部品が他のディスク（１１０）に回転可能に接続される
ことを特徴とするラチスの支持構造。
【請求項２２】
請求項２０又は２１のラチスの支持構造において、
上記係止手段は、上記ディスクの回転を抑制させ得る手段によって構成されている
ことを特徴とするラチスの支持構造。
【請求項２３】
請求項１７〜２２のうちの１つのラチスの支持構造において、
上記係止手段は、上記案内棒（６０）の切断部分により形成される
ことを特徴とするラチスの支持構造。
【発明の詳細な説明】
【技術分野】
【０００１】
本発明は、互いに回転可能に接続されるラチス棒を有するラチスの支持構造に関する。
【背景技術】
【０００２】
ラチスの支持構造は、例えば、構造物の形で、又は、支持機能若しくは搬送機能を発揮する構造物の構成要素として用いられる。これに関しては、一時的にのみセットアップされ、輸送のために再び解体されなければならないラチスの支持構造に対しても考えられる。原位置に永久に残るラチスの支持構造を設けることも考えられる。いずれの場合でも、周知のラチスの支持構造は、概して大きい横断面を有するために、比較的かなりの広さのスペースを必要とすることは不利である。これらの不利な点は、輸送だけでなく、保管や上記ラチスの支持構造の他の供給においても、結果として生じる。
【発明の概要】
【発明が解決しようとする課題】
【０００３】
本発明の目的は、互いに距離を隔てて保たれた操作位置から始まって内向きに折り畳まれた状態へ、逆に内向きに折り畳まれた状態から始まって互いに距離を隔てて保たれた状態へ変更できるように、最初に述べた種類のラチスの支持構造をさらに発展させることにある。
【課題を解決するための手段】
【０００４】
この目的は、請求項１の機能を有するラチスの支持構造により解決される。つまり、ラチスの支持構造は、このラチスの支持構造の長手方向に伸びるラチス棒と、それらを接続するラチス棒を備えている。この接続ラチス棒は、ラチスの支持構造の長手方向に伸びるラチス棒の間隔をラチスの支持構造が内側へ折り畳まれたときに減少させることができ、ラチスの支持構造が互いに距離を隔てて保たれたときに増加できるように、直接又は間接的にラチスに接続するように長手方向に伸びている。
【０００５】
この点で、長手方向に伸びるラチス棒は、ラチスの支持構造の外縁端を形成できる。接続ラチス棒が少なくともラチスの支持構造の互いに距離を隔てて保たれた状態のラチスの支持構造の外面に配置されていることは、特に有利である。
【０００６】
例えば、長手方向に伸びるラチス棒と、ラチスの支持構造の側面に伸びる接続ラチス棒とで形成されるラチスの支持構造の外縁端によって、ラチスの支持構造の横断面を四角形又は矩形にすることが考えられる。
【０００７】
本発明の別の実施例において、接続ラチス棒は、１つの又は複数の部品によって構成される。
【０００８】
ラチスの支持構造の互いに距離を隔てて保たれた状態において、長手方向に伸びるラチス棒に関して第１の方向に伸び、直接又は間接的に互いに回転可能に接続した２つ又は２つ以上の部品を含む第１の接続ラチス棒が設けられることが考えられる。そして、ラチスの支持構造の互いに距離を隔てて保たれた状態において、上記長手方向に伸びるラチス棒に斜めに伸びる第２の接続ラチス棒が設けられ、２本のラチス棒が少なくとも１本の第１のラチス棒及び少なくとも１本の第２のラチス棒によって互いに接続されて長手方向に伸びることが考えられる。
【０００９】
好ましくは、長手方向に伸びる２本のラチス棒が、ラチスの支持構造の互いに距離を隔てて保たれた状態で十字形に伸びるように配置された２本のラチス棒によって互いに接続されている。さらに、長手方向に伸びる２本のラチス棒は、２本の第１の接続ラチス棒によって、互いに接続されているのが好ましい。
【００１０】
本発明の別の実施例において、第２接続ラチス棒は２つ又は２つ以上の部品を含み、第１部品が第２部品に、この第１部品及び第２部品を相対的に回転可能とする継手で接続され、上記第１部品は、上記長手方向に伸びるラチス棒に回転可能に接続されるように配置されており、互いに相対的に回転可能な２つ又はそれ以上の部品よりなり、第２の接続ラチス棒（すなわちラチス棒は斜めに伸びている）を第１の接続ラチス棒に接続し、両方のラチス棒に回転可能に接続される、接続支柱が設けられている。
【００１１】
さらに、上記第１の接続ラチス棒は、ラチスの支持構造の互いに距離を隔てて保たれた状態の長手方向に伸びるラチス棒に垂直に又は実質的に垂直に伸びていてもよい。
【００１２】
上記接続支柱は、斜めに伸びるラチス棒の上記第１部品を上記第２部品に接続する継手に接続されていてもよい。
【００１３】
第２の接続ラチス棒の上記第１部品を上記第２部品に接続する継手は、１つの回転運動、好ましくは、長手方向に伸びる隣接するラチス棒から離れる方向にのみ回転可能に構成されている。斜めに伸びる第２のラチス棒のこの切断部分を内向きに折り畳むことは、このように、この実施例において、長手方向に伸びる隣接するラチス棒から離れる方向にのみ可能である。上記継手は、このように斜めに伸びるラチス棒の部品の回転可能な接続を形成するだけでなく、回転運動又は第２の接続ラチス棒の間隔をあけて保つ動きの終り位置を定めもする。
【００１４】
上記第１又は第２部品は、溝及び溝基部を備え、上記第１又は第２部品の他方が上記溝に回転可能に支持される突起を有し、溝基部で突起の回転角度が規制されることが考えられる。
【００１５】
例えば、２つの部品が外向きに回転されて一直線上に配置され、ラチスの支持構造の互いに距離を隔てた状態に保たれ、長手方向に伸びるラチス棒から間隔をおいて配置されるラチスの支持構造の折り畳み状態で継手により捩れることができるように、２つの部品が互いに回転可能であることが考えられる。
【００１６】
第１の間隔では互いに回転可能で、且つこの第１の間隔よりも小さい第２の間隔では互いに回転可能でないように、上記接続支柱の上記部品が互いに回転可能に接続されていてもよい。
【００１７】
とりわけラチスの支持構造の互いに距離を隔てて保たれた状態において、係止を実施することは、このように可能である。
【００１８】
これは、例えば、上記第１又は第２部品が溝を有し、この部品の他方が上記溝に移動不能に支持されるボルトを有し、上記溝が近位端及び遠位端を有しており、上記ボルトが上記溝の近位端に位置するときに、上記部品の回転を防止するように、係止手段が設けられていることで起こり得る。このように、部品が互いに回転することは、ボルトが溝に押し込まれた状態において、もはや可能ではない。
【００１９】
ラチスの支持構造が一緒に折り畳まれる場合、２つの部品の互いの間隔は増加し、このように接続支柱の内部の折り畳みが可能となる。
【００２０】
２本の接続ラチス棒は、１つ又は複数の部品によって構成され得る。
【００２１】
第２の接続ラチス棒が互いに交わる点で接続されていないことが考えられる。しかしながら、第２の接続ラチス棒が互いに交わる点で互いに接続されていることも考えられる。
【００２２】
本発明の別の実施例にかかるラチスの支持構造において、スリーブが長手方向に移動不能に配置されると共に、第２の接続ラチス棒が回転可能に接続される１つ以上の案内棒を含む。例えば、ラチス棒が２つの部品で構成され、長手方向に伸びるラチス棒にそれらの一端領域において回転可能に接続され、上記スリーブにそれらの他端領域で回転可能に接続されることが考えられる。スリーブは、ラチスの支持構造の展開時及び折り畳み時に、案内棒上の長手方向に移動する。案内棒は、長手方向に伸びるラチスの支持構造のラチス棒と平行に伸びるのが好ましい。
【００２３】
本発明の更なる態様のラチスの支持構造において、２つ又は複数の部品で形成されるラチス棒を備え、このラチス棒は、長手方向に伸びるラチス棒に回転可能に接続され、先端が、ラチス棒の２つ又はそれ以上の部品を接続している継手により形成される三角形を形成するように、２つ又はそれ以上の部品が接続されている。
【００２４】
三角形を形成するこの種の２本のラチス棒が互いの方へ収束するように構成され、又は、それらの先端が、ラチスの支持構造が互いに距離を隔てて保たれる状態で互いに直接的な手段で伸びるように配置されることが考えられる。これらの接続ラチス棒が負荷を受けるか又は圧縮時にそれらの位置を維持することを確実にするために、ラチスの支持構造の互いに距離を隔てて保たれた状態でそれらの先端領域で２つの三角形をボルト締めすることが可能である。
【００２５】
本発明の別の実施例において、第２の斜めに伸びるラチス棒は、２つの又は複数の部品で構成され、それら２つの部品又は２つ以上の部品が、回転可能に接続される回転可能なディスクによって互いに接続されるように構成されている。例えば、斜めに伸びるラチス棒が２つの部品によって構成され、各部品が、長手方向に伸びるラチス棒に基端部において回転可能に接続され、他端において上記ディスクに回転可能に接続されていることが考えられる。
【００２６】
２枚のディスクが異なる方向に回転可能に設けられ、ラチス棒の部品が、いずれか一方のディスクに回転可能に接続され、ラチス棒の部品と交差しているラチス棒の部品が他のディスクに回転可能に接続されることは、特に有利である。
【００２７】
本発明の別の実施例において、係止手段は、ディスクの回転を抑制し得る手段によって設けられる。
【００２８】
上記係止手段が、上記案内棒の切断部分によって、又は、そこに配置される構成要素により形成されることは、この点で特に有利である。好ましくはこの点で、上記案内棒が上記ディスクに接続し、又はラチス構造の互いに距離を隔てて保たれる状態でそれらの回転が可能でないようにディスクに係合するように構成される。上記構造が一緒に折り畳まれる場合、上記構造が一緒に折り畳まれるために又は接続ラチス棒が内部へ回転するために上記ディスクを回転させることができ、そして開放させることができるように、もはや１枚のディスク又は複数のディスクに係合しないように、上記案内棒が移動する。
【図面の簡単な説明】
【００２９】
【図１】本発明にかかるラチスの支持構造の斜視図である。
【図２】本発明にかかるラチスの支持構造の概略図である。
【図３】図２におけるラチスの支持構造の詳細図である。
【図４】図２におけるラチスの支持構造の詳細図である。
【図５】図２におけるラチスの支持構造の詳細図である。
【図６】本発明にかかる更なる態様のラチスの支持構造を示す概略図である。
【図７】本発明にかかる更なる態様のラチスの支持構造を示す概略図である。
【図８】本発明にかかる更なる態様のラチスの支持構造を示す概略図である。
【図９】本発明にかかる更なる態様のラチスの支持構造を示す概略図である。
【図１０】本発明にかかる更なる態様のラチスの支持構造を示す概略図である。
【図１１】図１におけるラチスの支持構造の一緒に折り畳んだ状態を示す斜視図である。
【発明を実施するための形態】
【００３０】
本発明の更なる詳細及び効果は、図面の図示した実施例に関して更に詳細に説明される。
【００３１】
図１は、同図に示される個々の部分を含む本発明にかかるラチスの支持構造の１つを示す。図１の左に示されて暗色によってマークされたラチス棒は、実際のラチスの支持構造の一部を形成しないが、ラチスの支持構造を組立及び解体するための、又は、互いに距離を隔てて保つ及び折り畳むための装置の一部を形成する。
【００３２】
実際のラチスの支持構造の横断面は、長手方向に伸び且つ互いに平行に伸びるラチス棒１０により形成される角をもつ四辺形よりなる。２本のそれぞれの第１の接続ラチス棒２０は、ラチスの支持構造の４つの側面上の各表面に位置付けされ、複数の部品で構成され、そして、一端領域で長手方向に伸びるラチス棒１０に回転可能に配置され、そして、機能は後述されるそれらの他端領域で案内棒６０に回転可能に接続され得る。案内棒６０は、ラチスの支持構造の一側面につき１本設けられ、好ましくは、長手方向に伸びるラチス棒１０間の中心線上に伸びる。第１の接続ラチス棒２０は、長手方向に伸びるラチス棒１０と共に、図１に示される互いに距離を隔てて保たれた状態の案内棒６０に対して垂直に伸びる。図１から分かるように、それらは、長手方向に伸びるラチス棒１０の２つの端部領域に配置される。
【００３３】
好ましくは、第１の接続ラチス棒及び第２の接続ラチス棒は、本発明のラチスの支持構造の引張及び圧縮の負荷を受けることができる。
【００３４】
さらに、図１から分かるように、それぞれ斜めに伸びる２本の第２のラチス棒３０は、ラチスの支持構造の各側面に位置して十字形に伸びる。これらの斜めに伸びるラチス棒３０は、同様に複数の部品で構成され、長手方向に伸びるラチス棒１０の基端領域から同じ側面にある平行のラチス棒１０の先端領域まで斜めに伸びている。ラチス棒１０に対するラチス棒３０の回転接続は、ラチス棒１０に対するラチス棒２０の回転接続と同じ領域において発生する。
【００３５】
さらに、図１に見られるように、また更に後述されるように、斜めに伸びる第２のラチス棒３０は、同様に複数の部品によって構成され、これら部品は、一端領域においてラチス棒１０に対して回転可能に接続され、他端領域において、案内棒６０に長手方向に移動不能に配置されるスリーブ７０に対して回転可能に接続されている。
【００３６】
図２は、本発明にかかるラチスの支持構造の概略図を示す。
【００３７】
図２は、２つの異なる位置のラチスの支持構造を示し、その１つは、動作の準備ができているラチスの支持構造の互いに距離を隔てて保たれた位置を示し、そして、もう１つがラチスの構造の内向きに折り畳まれた位置を示し、その内向きに折り畳まれた位置では、互いに距離を隔てて保たれた位置の符号に対し、”’”が付けられた参照符号が付されている。
【００３８】
図２に見られるように、そして、詳細に図３に示すように、ラチス棒３０は少なくとも２つの部品３２，３４からなる。部品３４は、長手方向に伸びるラチス棒１０に回転的に配置され、斜めに伸びるラチス棒３０の他の部品３２に継手３３を介して回転可能に接続されている。
【００３９】
図５は、詳細に継手３３を示す。同図は、部品３４が１つ又は１つ以上の溝３６を有することを示す。溝３６は、片側が開き、反対側が溝基部３７によって閉じている。他の１つの部品３２は、上記溝３６に導入され得る１つ又は１つ以上の突起３８を有する。上記２つの部品が差し込まれた後に互いにボルト締めされるように、溝壁において、又は、突起３８において孔が設けられている。容易に図５から分かるように、２つの部品３２，３４は一方向、すなわち溝基部３７から離れる方向にのみ回転可能なだけである。図５の溝基部３７は、上記部品３２が上記部品３４に対して上方へ回転することを防止する。
【００４０】
参照番号３５は、図３に見られる接続支柱４０を回転可能に接続する突起を示す。
【００４１】
図２にも示される接続支柱４０は、２つの部品で構成され、部品４１，４２を備える。接続支柱４０又はその継手を詳細に図４に示す。接続支柱の部品のうちの１つは、他の部品の溝４７において、長手方向に移動不能に支持されるボルト４８を備えている。溝は、近位端４７ａ及び遠位端４７ｂを有する。上記部品４１は、他の部品４２の溝に差し込まれ得る突起を有する。図４から分かるように、上記ボルト４８は、突起の正面の領域にある。上記ボルト４８が溝４７の近位端４７ａにある場合、プレート４９は部品４１が部品４２に対して回転可能となるのを防止する。しかしながら、上記ボルトがこの領域の外側、特に遠位端領域４７ｂに位置付けされる場合、部品４１の突起が部品４２に対して容易に動く、すなわち、接続支柱４０の内側への回転が可能となる。離れて折り畳まれて動作の準備ができている状態において、図３に見られる上記支柱４０の位置は、このように図４に見られる上記接続支柱の継手の配列によりロックされる。これは、接続支柱の内側への回転がいかなる方向にもおいても可能でないことを意味する。ラチスの支持構造が内向きに折り畳まれる場合、ボルト４８は溝４７の近位端４７ａから抜け出し、接続支柱４０が折り畳まれる又は内側へ回転することが可能となる。
【００４２】
上述したように、図２は、ラチスの支持構造の互いに距離を隔てて保たれた状態だけでなく、内向きに折り畳まれた状態を示す。内向きに折り畳まれた状態において、２本の第１の接続ラチス棒２０は、鋭角のある三角形を形成するように配置される。同じことは、接続支柱４０にもあてはまる。次いで、斜めに伸びるラチス棒３０の第２部品３４も、斜めに伸びるラチス棒３０の第１部品３２に対して鋭角に伸びる。
【００４３】
すでに図２の上部で示される三角形結合は、ラチスの支持構造の後ろの部分に属する。
【００４４】
図６は、図２に対応する配置を示すが、斜めに伸びるラチス棒３０が、図２と異なり、互いに接続されていないという点で、図２と異なる。対照的に、図７は、ラチス棒３０が互いに図１にも示されるスリーブ７０を介して実際に接続される実施形態を示す。スリーブ７０は、ラチスの支持構造の各側端の略中央に位置付けされる案内棒６０上で動く。図１から分かるように、十字形に伸びる第２のラチス棒３０の部品の４つの端部領域は、スリーブ７０に回転可能に接続される。ラチスの支持構造が内側へ折り畳まれるときに、図７に示すように、スリーブ７０は、案内棒６０上で位置がずれる。同時に、第１及び第２の接続棒２０，３０は、接続支柱４０と同様に内向きに回転する。
【００４５】
図８は、ラチス棒９０，９１が２つの部品によって構成される実施形態を示し、２つの部品は、継手９２を介して互いに回転可能に接続されている。図８から分かるように、ラチス棒９０の他端領域は、長手方向に伸びるラチス棒１０のうちの１本に、各々回転可能に接続されている。ラチス棒９０は、ラチス棒（ラチスの支持構造が互いに距離を隔てて保たれるときに、ラチス棒１０に対して実質的に垂直に伸びる第１のラチス棒２０）の同じ領域において回転可能に接続される。
【００４６】
図８にさらに見られるように、この種の２つの三角形構造が互いの方へ収束するように構成されている。ラチスの支持構造の互いに距離を隔てて保たれた状態において、これらの三角形構造は、負荷を受けることができる構造となるために、それらの先端で互いにボルト締めされる。符号９０'，９１'は、内向きに折り畳まれた状態でのラチスと継手の位置を示す。
【００４７】
図９は、斜めに伸びるラチス棒３０（すなわち第２のラチス棒）が回転可能なディスクを介して互いに接続されている実施形態を示す。この点で、斜めに伸びるラチス棒３０は、少なくとも２つの部品で構成され、一端領域がラチス棒１０に接続され、他端領域がディスク１００，１１０に接続されている。ラチス棒３０の１つの端部領域はディスク１００に回転可能に接続され、それと十字形にある他のラチス棒の部品の端部領域は他のディスク１１０に回転可能に接続されている。
【００４８】
図９にさらに見られるように、ラチス棒の端部領域は、それぞれディスク１００及び１１０上の直径に沿って逆となるように各々配置されている。ラチスの支持構造が内向きに折り畳まれる場合、ディスク１００は本実施例において時計回りに回り、ディスク１１０は反時計回りに回る。それは、斜めに伸びる第２のラチス棒３０が参照番号３０'により示される位置に移動するという結果を生む。同時に、同様に図９に見られるように、第１のラチス棒２０は、内向きに回転される。
【００４９】
ラチスの支持構造が組み立てられるときに、ディスク１００，１１０が回転運動を始めるのを防止するために、図１０の実施形態の案内棒６０により形成される係止手段が設けられている。係止手段の切断部分は、ディスク１００，１１０の切抜きに係合することができ、そのことは、ディスク１００，１１０を回転不能にするという結果を生む。ラチスの支持構造が内向きに折り畳まれるときにのみ、棒６０は、矢の方向に従って上方へ移動し、ロックが解除される。次いで、ディスクは回転可能となり、ラチス棒は内向きに回転可能となる。
【００５０】
図１０は、最後に内向きに折り畳まれた状態の図１のラチスの支持構造を示す。
【００５１】
上述したように、装置は図１の左側に示され、それはラチスの支持構造の組立又は解体において役に立つ。この装置における油圧で作動されるシリンダのピストンユニットは、長手方向に伸びて端を形成する各々のラチス棒１と、各々の案内棒６０とに中心の作動ロッドで係合し、引張力又は圧縮力（すなわち、ラチスの支持構造が離れて折り畳まれるか又は内向きに折り畳まれるかどうかに依存する、図１の左への力又は右への力）を作用させる。ラチスの支持構造は、このことにより互いに距離を隔てて保たれるか又は内向きに折り畳まれる。互いに距離を隔てて保たれて係止された後に、装置は再び取り外され、ラチスの支持構造の次の部分が組み立てられる。個々の部分は、それからボルト接続を介して互いに接続されている。
【００５２】
ラチスの支持構造の解体時には、解体及び組立のための黒で示された装置上で動くピストンが設けられる。それは比較的ゆっくり動くことができるようにされ、そのことは、ラチスの支持構造が比較的ゆっくりのみ一緒に折り畳まれる安全理由となる。
【図１】
2010504454.tif 000003
【図２】
2010504454.tif 000004
【図３】
2010504454.tif 000005
【図４】
2010504454.tif 000006
【図５】
2010504454.tif 000007
【図６】
2010504454.tif 000008
【図７】
2010504454.tif 000009
【図８】
2010504454.tif 000010
【図９】
2010504454.tif 000011
【図１０】
2010504454.tif 000012
【図１１】
2010504454.tif 000013
【手続補正書】
【提出日】平成21年5月29日(2009.5.29)
【手続補正１】
【補正対象書類名】明細書
【補正対象項目名】全文
【補正方法】変更
【補正の内容】
【発明の詳細な説明】
【技術分野】
【０００１】
本発明は、互いに回転可能に接続されるラチス棒を有するラチスの支持構造に関する。
【背景技術】
【０００２】
ラチスの支持構造は、例えば、構造物の形で、又は、支持機能若しくは搬送機能を発揮する構造物の構成要素として用いられる。これに関しては、一時的にのみセットアップされ、輸送のために再び解体されなければならないラチスの支持構造に対しても考えられる。原位置に永久に残るラチスの支持構造を設けることも考えられる。いずれの場合でも、周知のラチスの支持構造は、概して大きい横断面を有するために、比較的かなりの広さのスペースを必要とすることは不利である。これらの不利な点は、輸送だけでなく、保管や上記ラチスの支持構造の他の供給においても、結果として生じる。
【発明の概要】
【発明が解決しようとする課題】
【０００３】
本発明の目的は、互いに距離を隔てて保たれた操作位置から始まって内向きに折り畳まれた状態へ、逆に内向きに折り畳まれた状態から始まって互いに距離を隔てて保たれた状態へ変更できるように、最初に述べた種類のラチスの支持構造をさらに発展させることにある。
【課題を解決するための手段】
【０００４】
この目的は、請求項１の機能を有するラチスの支持構造により解決される。つまり、ラチスの支持構造は、このラチスの支持構造の長手方向に伸びるラチス棒と、それらを接続するラチス棒を備えている。この接続ラチス棒は、ラチスの支持構造の長手方向に伸びるラチス棒の間隔をラチスの支持構造が内側へ折り畳まれたときに減少させることができ、ラチスの支持構造が互いに距離を隔てて保たれたときに増加できるように、直接又は間接的にラチスに接続するように長手方向に伸びている。
【０００５】
この点で、長手方向に伸びるラチス棒は、ラチスの支持構造の外縁端を形成できる。接続ラチス棒が少なくともラチスの支持構造の互いに距離を隔てて保たれた状態のラチスの支持構造の外面に配置されていることは、特に有利である。
【０００６】
例えば、長手方向に伸びるラチス棒と、ラチスの支持構造の側面に伸びる接続ラチス棒とで形成されるラチスの支持構造の外縁端によって、ラチスの支持構造の横断面を四角形又は矩形にすることが考えられる。
【０００７】
本発明の別の実施例において、接続ラチス棒は、１つの又は複数の部品によって構成される。
【０００８】
ラチスの支持構造の互いに距離を隔てて保たれた状態において、長手方向に伸びるラチス棒に関して第１の方向に伸び、直接又は間接的に互いに回転可能に接続した２つ又は２つ以上の部品を含む第１の接続ラチス棒が設けられることが考えられる。そして、ラチスの支持構造の互いに距離を隔てて保たれた状態において、上記長手方向に伸びるラチス棒に斜めに伸びる第２の接続ラチス棒が設けられ、２本のラチス棒が少なくとも１本の第１のラチス棒及び少なくとも１本の第２のラチス棒によって互いに接続されて長手方向に伸びることが考えられる。
【０００９】
好ましくは、長手方向に伸びる２本のラチス棒が、ラチスの支持構造の互いに距離を隔てて保たれた状態で十字形に伸びるように配置された２本のラチス棒によって互いに接続されている。さらに、長手方向に伸びる２本のラチス棒は、２本の第１の接続ラチス棒によって、互いに接続されているのが好ましい。
【００１０】
本発明の別の実施例において、第２接続ラチス棒は２つ又は２つ以上の部品を含み、第１部品が第２部品に、この第１部品及び第２部品を相対的に回転可能とする継手で接続され、上記第１部品は、上記長手方向に伸びるラチス棒に回転可能に接続されるように配置されており、互いに相対的に回転可能な２つ又はそれ以上の部品よりなり、第２の接続ラチス棒（すなわちラチス棒は斜めに伸びている）を第１の接続ラチス棒に接続し、両方のラチス棒に回転可能に接続される、接続支柱が設けられている。
【００１１】
さらに、上記第１の接続ラチス棒は、ラチスの支持構造の互いに距離を隔てて保たれた状態の長手方向に伸びるラチス棒に垂直に又は実質的に垂直に伸びていてもよい。
【００１２】
上記接続支柱は、斜めに伸びるラチス棒の上記第１部品を上記第２部品に接続する継手に接続されていてもよい。
【００１３】
第２の接続ラチス棒の上記第１部品を上記第２部品に接続する継手は、１つの回転運動、好ましくは、長手方向に伸びる隣接するラチス棒から離れる方向にのみ回転可能に構成されている。斜めに伸びる第２のラチス棒のこの切断部分を内向きに折り畳むことは、このように、この実施例において、長手方向に伸びる隣接するラチス棒から離れる方向にのみ可能である。上記継手は、このように斜めに伸びるラチス棒の部品の回転可能な接続を形成するだけでなく、回転運動又は第２の接続ラチス棒の間隔をあけて保つ動きの終り位置を定めもする。
【００１４】
上記第１又は第２部品は、溝及び溝基部を備え、上記第１又は第２部品の他方が上記溝に回転可能に支持される突起を有し、溝基部で突起の回転角度が規制されることが考えられる。
【００１５】
例えば、２つの部品が外向きに回転されて一直線上に配置され、ラチスの支持構造の互いに距離を隔てた状態に保たれ、長手方向に伸びるラチス棒から間隔をおいて配置されるラチスの支持構造の折り畳み状態で継手により捩れることができるように、２つの部品が互いに回転可能であることが考えられる。
【００１６】
第１の間隔では互いに回転可能で、且つこの第１の間隔よりも小さい第２の間隔では互いに回転可能でないように、上記接続支柱の上記部品が互いに回転可能に接続されていてもよい。
【００１７】
とりわけラチスの支持構造の互いに距離を隔てて保たれた状態において、係止を実施することは、このように可能である。
【００１８】
これは、例えば、上記第１又は第２部品が溝を有し、この部品の他方が上記溝に移動不能に支持されるボルトを有し、上記溝が近位端及び遠位端を有しており、上記ボルトが上記溝の近位端に位置するときに、上記部品の回転を防止するように、係止手段が設けられていることで起こり得る。このように、部品が互いに回転することは、ボルトが溝に押し込まれた状態において、もはや可能ではない。
【００１９】
ラチスの支持構造が一緒に折り畳まれる場合、２つの部品の互いの間隔は増加し、このように接続支柱の内部の折り畳みが可能となる。
【００２０】
２本の接続ラチス棒は、１つ又は複数の部品によって構成され得る。
【００２１】
第２の接続ラチス棒が互いに交わる点で接続されていないことが考えられる。しかしながら、第２の接続ラチス棒が互いに交わる点で互いに接続されていることも考えられる。
【００２２】
本発明の別の実施例にかかるラチスの支持構造において、スリーブが長手方向に移動不能に配置されると共に、第２の接続ラチス棒が回転可能に接続される１つ以上の案内棒を含む。例えば、ラチス棒が２つの部品で構成され、長手方向に伸びるラチス棒にそれらの一端領域において回転可能に接続され、上記スリーブにそれらの他端領域で回転可能に接続されることが考えられる。スリーブは、ラチスの支持構造の展開時及び折り畳み時に、案内棒上の長手方向に移動する。案内棒は、長手方向に伸びるラチスの支持構造のラチス棒と平行に伸びるのが好ましい。
【００２３】
本発明の更なる態様のラチスの支持構造において、２つ又は複数の部品で形成されるラチス棒を備え、このラチス棒は、長手方向に伸びるラチス棒に回転可能に接続され、先端が、ラチス棒の２つ又はそれ以上の部品を接続している継手により形成される三角形を形成するように、２つ又はそれ以上の部品が接続されている。
【００２４】
三角形を形成するこの種の２本のラチス棒が互いの方へ収束するように構成され、又は、それらの先端が、ラチスの支持構造が互いに距離を隔てて保たれる状態で互いに直接的な手段で伸びるように配置されることが考えられる。これらの接続ラチス棒が負荷を受けるか又は圧縮時にそれらの位置を維持することを確実にするために、ラチスの支持構造の互いに距離を隔てて保たれた状態でそれらの先端領域で２つの三角形をボルト締めすることが可能である。
【００２５】
本発明の別の実施例において、第２の斜めに伸びるラチス棒は、２つの又は複数の部品で構成され、それら２つの部品又は２つ以上の部品が、回転可能に接続される回転可能なディスクによって互いに接続されるように構成されている。例えば、斜めに伸びるラチス棒が２つの部品によって構成され、各部品が、長手方向に伸びるラチス棒に基端部において回転可能に接続され、他端において上記ディスクに回転可能に接続されていることが考えられる。
【００２６】
２枚のディスクが異なる方向に回転可能に設けられ、ラチス棒の部品が、いずれか一方のディスクに回転可能に接続され、ラチス棒の部品と交差しているラチス棒の部品が他のディスクに回転可能に接続されることは、特に有利である。
【００２７】
本発明の別の実施例において、係止手段は、ディスクの回転を抑制し得る手段によって設けられる。
【００２８】
上記係止手段が、上記案内棒の切断部分によって、又は、そこに配置される構成要素により形成されることは、この点で特に有利である。好ましくはこの点で、上記案内棒が上記ディスクに接続し、又はラチス構造の互いに距離を隔てて保たれる状態でそれらの回転が可能でないようにディスクに係合するように構成される。上記構造が一緒に折り畳まれる場合、上記構造が一緒に折り畳まれるために又は接続ラチス棒が内部へ回転するために上記ディスクを回転させることができ、そして開放させることができるように、もはや１枚のディスク又は複数のディスクに係合しないように、上記案内棒が移動する。
【００２９】
本発明の更なる実施形態において、ラチス棒の折り畳み及び展開が平面上で、すなわち、ラチスの支持構造の縦断面及び横断面上で起こる。
【００３０】
本発明は互いに回転可能に接続されるラチス棒を有するラチスの支持構造を更に目的とする。そこにおいて、支持構造は、ラチスの支持構造の長手方向に伸びるラチス棒と、ラチスの支持構造の長手方向に伸びるラチス棒に接続される更なるラチス棒とを備え、ラチスの支持構造が互いに距離を隔てて保たれるときに、上記更なるラチス棒が少なくとも長手方向に伸びるラチス棒により定義される空間の中で少なくとも１つの角錐構造を形成する。更に、それらのラチス棒で、ラチスの支持構造が一緒に内向きに折り畳まれた位置で角錐構造を形成することも可能である。
【００３１】
少なくとも１つの角錐構造を形成している更なるラチス棒は、ラチスの支持構造の長手方向に伸びるラチス棒で回転可能に接続され得る。
【００３２】
本発明の好ましい実施態様において、単一の角錐構造を形成しているラチス棒の数は、ラチスの支持構造の長手方向に伸びるラチス棒の数と等しい。角錐構造を形成しているラチス棒は、それらの端部で長手方向に伸びるラチス棒に結合され得る。
【００３３】
本発明の更なる実施形態において、角錐構造の頂点は、ラチスの支持構造の中心にある。好ましくは、角錐構造は、ラチスの支持構造を内向きに折り畳んで又は展開する仕組みの中で、その頂点が接続され又は分かれ得る。
【００３４】
本発明の更なる実施形態によれば、ラチスの支持構造の長手方向の異なる方向を向く対となる角錐構造が設けられ得る。好ましくは、それらの対の角錐構造は、同じ底面を共有する。この場合、角錐の頂点は、ラチスの支持構造の異なる方向を向く。
【００３５】
本発明は、特に請求項１〜３１のいずれか１つのラチスの支持構造の互いに距離を隔てて広がり得る構造を有するラチスの支持構造を更に目的とする。そこにおいて、ラチスの支持構造は、回転可能に配置したラチス棒を有し、回転可能な接続は、互いに回転可能に接続される部品のうちの１つの部品が突起を有し、回転可能に接続される他の部品が三方の壁によって囲まれ、他の部品の突起が回転可能に支持される溝を有することで実現される。
【００３６】
ラチス棒は、それらの一端領域で突起を有すると共に、他端領域に溝を有することができ、又はラチス棒は両端領域で溝又は突起を有することができる。
【００３７】
ラチス棒を特定の回転位置に取り付けるのに適している制動手段を設けることができる。
【図面の簡単な説明】
【００３８】
【図１】本発明にかかるラチスの支持構造の斜視図である。
【図２】本発明にかかるラチスの支持構造の概略図である。
【図３】図２におけるラチスの支持構造の詳細図である。
【図４】図２におけるラチスの支持構造の詳細図である。
【図５】図２におけるラチスの支持構造の詳細図である。
【図６】本発明にかかる更なる態様のラチスの支持構造を示す概略図である。
【図７】本発明にかかる更なる態様のラチスの支持構造を示す概略図である。
【図８】本発明にかかる更なる態様のラチスの支持構造を示す概略図である。
【図９】本発明にかかる更なる態様のラチスの支持構造を示す概略図である。
【図１０】本発明にかかる更なる態様のラチスの支持構造を示す概略図である。
【図１１】図１におけるラチスの支持構造の一緒に折り畳んだ状態を示す斜視図である。
【発明を実施するための形態】
【００３９】
本発明の更なる詳細及び効果は、図面の図示した実施例に関して更に詳細に説明される。
【００４０】
図１は、同図に示される個々の部分を含む本発明にかかるラチスの支持構造の１つを示す。図１の左に示されて暗色によってマークされたラチス棒は、実際のラチスの支持構造の一部を形成しないが、ラチスの支持構造を組立及び解体するための、又は、互いに距離を隔てて保つ及び折り畳むための装置の一部を形成する。
【００４１】
実際のラチスの支持構造の横断面は、長手方向に伸び且つ互いに平行に伸びるラチス棒１０により形成される角をもつ四辺形よりなる。２本のそれぞれの第１の接続ラチス棒２０は、ラチスの支持構造の４つの側面上の各表面に位置付けされ、複数の部品で構成され、そして、一端領域で長手方向に伸びるラチス棒１０に回転可能に配置され、そして、機能は後述されるそれらの他端領域で案内棒６０に回転可能に接続され得る。案内棒６０は、ラチスの支持構造の一側面につき１本設けられ、好ましくは、長手方向に伸びるラチス棒１０間の中心線上に伸びる。第１の接続ラチス棒２０は、長手方向に伸びるラチス棒１０と共に、図１に示される互いに距離を隔てて保たれた状態の案内棒６０に対して垂直に伸びる。図１から分かるように、それらは、長手方向に伸びるラチス棒１０の２つの端部領域に配置される。
【００４２】
好ましくは、第１の接続ラチス棒及び第２の接続ラチス棒は、本発明のラチスの支持構造の引張及び圧縮の負荷を受けることができる。
【００４３】
さらに、図１から分かるように、それぞれ斜めに伸びる２本の第２のラチス棒３０は、ラチスの支持構造の各側面に位置して十字形に伸びる。これらの斜めに伸びるラチス棒３０は、同様に複数の部品で構成され、長手方向に伸びるラチス棒１０の基端領域から同じ側面にある平行のラチス棒１０の先端領域まで斜めに伸びている。ラチス棒１０に対するラチス棒３０の回転接続は、ラチス棒１０に対するラチス棒２０の回転接続と同じ領域において発生する。
【００４４】
さらに、図１に見られるように、また更に後述されるように、斜めに伸びる第２のラチス棒３０は、同様に複数の部品によって構成され、これら部品は、一端領域においてラチス棒１０に対して回転可能に接続され、他端領域において、案内棒６０に長手方向に移動不能に配置されるスリーブ７０に対して回転可能に接続されている。
【００４５】
図２は、本発明にかかるラチスの支持構造の概略図を示す。
【００４６】
図２は、２つの異なる位置のラチスの支持構造を示し、その１つは、動作の準備ができているラチスの支持構造の互いに距離を隔てて保たれた位置を示し、そして、もう１つがラチスの構造の内向きに折り畳まれた位置を示し、その内向きに折り畳まれた位置では、互いに距離を隔てて保たれた位置の符号に対し、”’”が付けられた参照符号が付されている。
【００４７】
図２に見られるように、そして、詳細に図３に示すように、ラチス棒３０は少なくとも２つの部品３２，３４からなる。部品３４は、長手方向に伸びるラチス棒１０に回転的に配置され、斜めに伸びるラチス棒３０の他の部品３２に継手３３を介して回転可能に接続されている。
【００４８】
図５は、詳細に継手３３を示す。同図は、部品３４が１つ又は１つ以上の溝３６を有することを示す。溝３６は、片側が開き、反対側が溝基部３７によって閉じている。他の１つの部品３２は、上記溝３６に導入され得る１つ又は１つ以上の突起３８を有する。上記２つの部品が差し込まれた後に互いにボルト締めされるように、溝壁において、又は、突起３８において孔が設けられている。容易に図５から分かるように、２つの部品３２，３４は一方向、すなわち溝基部３７から離れる方向にのみ回転可能なだけである。図５の溝基部３７は、上記部品３２が上記部品３４に対して上方へ回転することを防止する。
【００４９】
参照番号３５は、図３に見られる接続支柱４０を回転可能に接続する突起を示す。
【００５０】
図２にも示される接続支柱４０は、２つの部品で構成され、部品４１，４２を備える。接続支柱４０又はその継手を詳細に図４に示す。接続支柱の部品のうちの１つは、他の部品の溝４７において、長手方向に移動不能に支持されるボルト４８を備えている。溝は、近位端４７ａ及び遠位端４７ｂを有する。上記部品４１は、他の部品４２の溝に差し込まれ得る突起を有する。図４から分かるように、上記ボルト４８は、突起の正面の領域にある。上記ボルト４８が溝４７の近位端４７ａにある場合、プレート４９は部品４１が部品４２に対して回転可能となるのを防止する。しかしながら、上記ボルトがこの領域の外側、特に遠位端領域４７ｂに位置付けされる場合、部品４１の突起が部品４２に対して容易に動く、すなわち、接続支柱４０の内側への回転が可能となる。離れて折り畳まれて動作の準備ができている状態において、図３に見られる上記支柱４０の位置は、このように図４に見られる上記接続支柱の継手の配列によりロックされる。これは、接続支柱の内側への回転がいかなる方向にもおいても可能でないことを意味する。ラチスの支持構造が内向きに折り畳まれる場合、ボルト４８は溝４７の近位端４７ａから抜け出し、接続支柱４０が折り畳まれる又は内側へ回転することが可能となる。
【００５１】
上述したように、図２は、ラチスの支持構造の互いに距離を隔てて保たれた状態だけでなく、内向きに折り畳まれた状態を示す。内向きに折り畳まれた状態において、２本の第１の接続ラチス棒２０は、鋭角のある三角形を形成するように配置される。同じことは、接続支柱４０にもあてはまる。次いで、斜めに伸びるラチス棒３０の第２部品３４も、斜めに伸びるラチス棒３０の第１部品３２に対して鋭角に伸びる。
【００５２】
すでに図２の上部で示される三角形結合は、ラチスの支持構造の後ろの部分に属する。
【００５３】
図６は、図２に対応する配置を示すが、斜めに伸びるラチス棒３０が、図２と異なり、互いに接続されていないという点で、図２と異なる。対照的に、図７は、ラチス棒３０が互いに図１にも示されるスリーブ７０を介して実際に接続される実施形態を示す。スリーブ７０は、ラチスの支持構造の各側端の略中央に位置付けされる案内棒６０上で動く。図１から分かるように、十字形に伸びる第２のラチス棒３０の部品の４つの端部領域は、スリーブ７０に回転可能に接続される。ラチスの支持構造が内側へ折り畳まれるときに、図７に示すように、スリーブ７０は、案内棒６０上で位置がずれる。同時に、第１及び第２の接続棒２０，３０は、接続支柱４０と同様に内向きに回転する。
【００５４】
図８は、ラチス棒９０，９１が２つの部品によって構成される実施形態を示し、２つの部品は、継手９２を介して互いに回転可能に接続されている。図８から分かるように、ラチス棒９０の他端領域は、長手方向に伸びるラチス棒１０のうちの１本に、各々回転可能に接続されている。ラチス棒９０は、ラチス棒（ラチスの支持構造が互いに距離を隔てて保たれるときに、ラチス棒１０に対して実質的に垂直に伸びる第１のラチス棒２０）の同じ領域において回転可能に接続される。
【００５５】
図８にさらに見られるように、この種の２つの三角形構造が互いの方へ収束するように構成されている。ラチスの支持構造の互いに距離を隔てて保たれた状態において、これらの三角形構造は、負荷を受けることができる構造となるために、それらの先端で互いにボルト締めされる。符号９０'，９１'は、内向きに折り畳まれた状態でのラチスと継手の位置を示す。
【００５６】
図９は、斜めに伸びるラチス棒３０（すなわち第２のラチス棒）が回転可能なディスクを介して互いに接続されている実施形態を示す。この点で、斜めに伸びるラチス棒３０は、少なくとも２つの部品で構成され、一端領域がラチス棒１０に接続され、他端領域がディスク１００，１１０に接続されている。ラチス棒３０の１つの端部領域はディスク１００に回転可能に接続され、それと十字形にある他のラチス棒の部品の端部領域は他のディスク１１０に回転可能に接続されている。
【００５７】
図９にさらに見られるように、ラチス棒の端部領域は、それぞれディスク１００及び１１０上の直径に沿って逆となるように各々配置されている。ラチスの支持構造が内向きに折り畳まれる場合、ディスク１００は本実施例において時計回りに回り、ディスク１１０は反時計回りに回る。それは、斜めに伸びる第２のラチス棒３０が参照番号３０'により示される位置に移動するという結果を生む。同時に、同様に図９に見られるように、第１のラチス棒２０は、内向きに回転される。
【００５８】
ラチスの支持構造が組み立てられるときに、ディスク１００，１１０が回転運動を始めるのを防止するために、図１０の実施形態の案内棒６０により形成される係止手段が設けられている。係止手段の切断部分は、ディスク１００，１１０の切抜きに係合することができ、そのことは、ディスク１００，１１０を回転不能にするという結果を生む。ラチスの支持構造が内向きに折り畳まれるときにのみ、棒６０は、矢の方向に従って上方へ移動し、ロックが解除される。次いで、ディスクは回転可能となり、ラチス棒は内向きに回転可能となる。
【００５９】
図１１は、最後に内向きに折り畳まれた状態の図１のラチスの支持構造を示す。
【００６０】
上述したように、装置は図１の左側と図１１とに示され、それはラチスの支持構造の組立又は解体において役に立つ。この装置における油圧で作動されるシリンダのピストンユニットは、長手方向に伸びて端を形成する各々のラチス棒１と同じく各々の案内棒６０に中心の作動ロッドで係合し、引張力又は圧縮力（すなわち、ラチスの支持構造が離れて折り畳まれるか又は内向きに折り畳まれるかどうかに依存する、図１又は図１１の左への力又は右への力）を作用させる。ラチスの支持構造は、このことにより互いに距離を隔てて保たれるか又は内向きに折り畳まれる。互いに距離を隔てて保たれて係止された後に、装置は再び取り外され、ラチスの支持構造の次の部分が組み立てられる。個々の部分は、それからボルト接続を介して互いに接続されている。
【００６１】
ラチスの支持構造の解体時には、解体及び組立のための黒で示された装置上で動くピストンが設けられる。それは比較的ゆっくり動くことができるようにされ、そのことは、ラチスの支持構造が比較的ゆっくりのみ一緒に折り畳まれる安全理由となる。
【手続補正２】
【補正対象書類名】特許請求の範囲
【補正対象項目名】全文
【補正方法】変更
【補正の内容】
【特許請求の範囲】
【請求項１】
互いに回転可能に接続されるラチス棒を有するラチスの支持構造において、
上記ラチスの支持構造の長手方向に伸びるラチス棒（１０）と、
上記ラチス棒（１０）を接続するラチス棒（２０，３０）とを備え、
上記接続ラチス棒（２０，３０）は、直接又は間接的に上記ラチス棒(１０)に接続され、
上記ラチス棒(１０)は、該ラチス棒(１０)の間隔を、上記ラチスの支持構造を内向きに折り畳むことで減少することができ、互いに距離を隔てて保つことで増加できるように、長手方向に伸びている
ことを特徴とするラチスの支持構造。
【請求項２】
請求項１のラチスの支持構造において、
上記長手方向に伸びるラチス棒（１０）が、上記ラチスの支持構造の外縁端を形成する
ことを特徴とするラチスの支持構造。
【請求項３】
請求項１又は２のラチスの支持構造において、
上記接続ラチス棒（２０，３０）が、少なくとも上記ラチスの支持構造の互いに距離を隔てて保たれた状態のラチスの支持構造の外面に配置されている
ことを特徴とするラチスの支持構造。
【請求項４】
請求項１〜３のうちの１つのラチスの支持構造において、
上記接続ラチス棒（２０，３０）は、１つの又は複数の部品で構成される
ことを特徴とするラチスの支持構造。
【請求項５】
請求項１〜４のうちの１つのラチスの支持構造において、
上記ラチスの支持構造の互いに距離を隔てて保たれた状態の長手方向に伸びるラチス棒（１０）に向かう第１の方向に伸び、直接又は間接的に互いに回転可能に接続される２つ又は２つ以上の部品を含む第１の接続ラチス棒（２０）が設けられ、
上記ラチスの支持構造の互いに距離を隔てて保たれた状態の長手方向に伸びるラチス棒(１０)に対して斜めに伸びる第２の接続ラチス棒（３０）が設けられ、
長手方向に伸びる２本のラチス棒（１０）が、少なくとも１本の第１の接続ラチス棒(２０)及び少なくとも１本の第２の接続ラチス棒（３０）によって互いに接続されている
ことを特徴とするラチスの支持構造。
【請求項６】
請求項５のラチスの支持構造において、
長手方向に伸びる２本のラチス棒（１０）が、上記互いに距離を隔てて保たれたラチスの支持構造の状態で十字形に伸びるように配置された第２の接続ラチス棒（３０）によって互いに接続されている
ことを特徴とするラチスの支持構造。
【請求項７】
請求項５又は６のラチスの支持構造において、
上記第２の接続ラチス棒（３０）は、２つ又は複数の部品で構成され、
第１部品（３２）が第２部品（３４）に、該第１部品（３２）及び第２部品（３４）を相対的に回転可能とする継手（３３）で接続され、
上記第１部品（３２）は、上記長手方向に伸びるラチス棒(１０)に回転可能に接続されるように配置されており、
互いに相対的に回転可能な２つ又はそれ以上の部品（４１，４２）よりなり、第２の接続ラチス棒（３０）を第１の接続ラチス棒(２０)に接続し、両方のラチス棒（２０，３０）に回転可能に接続される、接続支柱（４０）が設けられている
ことを特徴とするラチスの支持構造。
【請求項８】
請求項７のうちの１つのラチスの支持構造において、
上記第１の接続ラチス棒（２０）は、上記長手方向に伸びるラチス棒(１０)に垂直に又は実質的に垂直に伸びている
ことを特徴とするラチスの支持構造。
【請求項９】
請求項７又は８のラチスの支持構造において、
上記接続支柱（４０）は、上記第２の接続ラチス棒（３０）の第１部品(３２)を上記第２部品(３４)に接続する継手（３３）に接続されている
ことを特徴とするラチスの支持構造。
【請求項１０】
請求項７〜９のうちの１つのラチスの支持構造において、
第２の接続ラチス棒（３０）の上記第１部品（３２）を上記第２部品（３４）に接続する継手（３３）は、長手方向に伸びる隣接するラチス棒(１０)から離れる方向にのみ回転可能に構成されている
ことを特徴とするラチスの支持構造。
【請求項１１】
請求項１０のラチスの支持構造において、
上記第１又は第２部品（３２，３４）は、溝（３６）及び溝基部（３７）を備え、
上記第１又は第２部品（３２，３４）の他方（３４，３２）が上記溝（３６）に回転可能に支持される突起（３８）を有し、
上記溝基部（３７）で上記突起（３８）の回転角度が規制される
ことを特徴とするラチスの支持構造。
【請求項１２】
請求項７〜１１のうちの１つのラチスの支持構造において、
第１の間隔では互いに回転可能で、且つ該第１の間隔よりも小さい第２の間隔では互いに回転可能でないように、上記接続支柱（４０）の上記部品（４１，４２）が互いに回転可能に接続される
ことを特徴とするラチスの支持構造。
【請求項１３】
請求項７〜１２のラチスの支持構造において、
上記第１又は第２部品（４１，４２）は溝（４７）を有し、該部品（４２，４１）の他方は上記溝（４７）に移動不能に支持されるボルト（４８）を有し、
上記溝（４７）は、近位端（４７ａ）及び遠位端（４７ｂ）を有しており、
上記ボルト（４８）が上記溝（４７）の近位端（４７ａ）に位置するときに、上記部品（４１，４２）の回転を防止するように、係止手段（４９）が設けられている
ことを特徴とするラチスの支持構造。
【請求項１４】
請求項１〜１３のうちの１つのラチスの支持構造において、
上記第２の接続ラチス棒（３０）は、１つの又は複数の部品によって構成される
ことを特徴とするラチスの支持構造。
【請求項１５】
請求項１〜１４のうちの１つのラチスの支持構造において、
上記第２の接続棒（３０）は、互いに交わる点で接続されていない
ことを特徴とするラチスの支持構造。
【請求項１６】
請求項１〜１３のうちの１つのラチスの支持構造において、
上記第２の接続棒（３０）は、互いに交わる点で接続されている
ことを特徴とするラチスの支持構造。
【請求項１７】
請求項１〜１６のうちの１つのラチスの支持構造において、
スリーブ（７０）が長手方向に移動不能に配置されると共に、第２の接続ラチス(３０)が回転可能に接続される案内棒（６０）が設けられている
ことを特徴とするラチスの支持構造。
【請求項１８】
請求項１〜１７のうちの１つのラチスの支持構造において、
２つ又は複数の部品で形成されるラチス棒（９０）を備え、
上記ラチス棒（９０）は、上記長手方向に伸びるラチス棒(１０)に回転可能に接続され、
先端が、ラチス棒（９０）の２つ又はそれ以上の部品を接続している継手（９２）により形成される三角形を形成するように、２つ又はそれ以上の部品が接続されている
ことを特徴とするラチスの支持構造。
【請求項１９】
請求項１８のラチス支持構造において、
三角形を形成するラチス棒（９０，９１）が設けられ、
上記ラチス棒（９０，９１）は、先端が、互いに距離を隔てて保たれるラチスの支持構造の状態で、互いの方へ収束するように配置されている
ことを特徴とするラチスの支持構造。
【請求項２０】
請求項５〜１７のうちの１つのラチスの支持構造において、
上記第２の接続ラチス棒（３０）は、２つの又は複数の部品によって構成され、
上記２つ又はそれ以上の部品は、該２つ又はそれ以上の部品を回転可能に接続する回転可能なディスク（１００，１１０）によって互いに接続されている
ことを特徴とするラチスの支持構造。
【請求項２１】
請求項２０のラチスの支持構造において、
２枚のディスク（１００，１１０）が異なる方向に回転可能に設けられ、
上記ラチス棒(３０)の部品が、いずれか一方のディスク（１００）に回転可能に接続され、
上記ラチス棒(３０)の部品と交差している上記ラチス棒（３０）の部品が他のディスク（１１０）に回転可能に接続される
ことを特徴とするラチスの支持構造。
【請求項２２】
請求項２０又は２１のラチスの支持構造において、
上記係止手段は、上記ディスクの回転を抑制させ得る手段によって構成されている
ことを特徴とするラチスの支持構造。
【請求項２３】
請求項１７〜２２のうちの１つのラチスの支持構造において、
上記係止手段は、上記案内棒（６０）の切断部分により形成される
ことを特徴とするラチスの支持構造。
【請求項２４】
請求項１〜２３のうちの１つのラチスの支持構造において、
上記ラチスの支持構造の折り畳みと展開とが平面上で起こるように、上記ラチスの支持構造の上記ラチス棒が結合される
ことを特徴とするラチスの支持構造。
【請求項２５】
互いに回転可能に接続されるラチス棒を有するラチスの支持構造において、
上記ラチスの支持構造の長手方向に伸びるラチス棒（１０）と、
上記ラチスの支持構造の長手方向に伸びるラチス棒(１０)に接続される更なるラチス棒と備え、
上記ラチスの支持構造が互いに距離を隔てて保たれるときに、上記更なるラチス棒が少なくとも長手方向に伸びるラチス棒(１０)により定義される空間の中で少なくとも１つの角錐構造を形成する
ことを特徴とするラチスの支持構造。
【請求項２６】
請求項２５のラチスの支持構造において、
上記角錐構造を形成している更なるラチス棒が、上記ラチスの支持構造の長手方向に伸びるラチス棒(１０)により回転可能に接続される
ことを特徴とするラチスの支持構造。
【請求項２７】
請求項２５又は２６のラチスの支持構造において、
１つの角錐構造を形成している更なるラチス棒の数が、上記ラチスの支持構造の長手方向に伸びるラチス棒(１０)の数と等しい
ことを特徴とするラチスの支持構造。
【請求項２８】
請求項２５〜２７のうちの１つのラチスの支持構造において、
上記角錐構造の頂点が上記ラチスの支持構造の中心にある
ことを特徴とするラチスの支持構造。
【請求項２９】
請求項２５〜２８のうちの１つのラチスの支持構造において、
上記角錐構造は、上記ラチスの支持構造を折り畳むこと及び展開することの少なくとも一方の仕組みにおいて、接続されるか、又は、分かれる
ことを特徴とするラチスの支持構造。
【請求項３０】
請求項２５〜２９のうちの１つのラチスの支持構造において、
少なくともいくつかの角錐構造が角錐構造の対として形成され、
上記一対の角錐構造を形成している２つの角錐構造が、同じ底面を共有する
ことを特徴とするラチスの支持構造。
【請求項３１】
請求項２５〜３０のうちの１つのラチスの支持構造において、
請求項１〜２４のいずれか１つのラチスの支持構造により形成される
ことを特徴とするラチスの支持構造。
【請求項３２】
請求項１〜３１のうちの１つのラチスの支持構造において、
互いに距離を隔てて広げることができ、
回転可能に配置したラチス棒を有し、
上記回転可能な接続は、互いに回転可能に接続された部品のうちの１つが突起を有し、回転可能に接続された部品の他方が３つの側壁に囲まれた溝を有し、
上記溝の中で上記他の部品の突起が回転可能に支持されている
ことを特徴とするラチスの支持構造。
【請求項３３】
請求項３２のラチスの支持構造において、
上記ラチス棒がそれらの一端領域で突起を有すると共に他端領域で溝を有し、
又は、上記ラチス棒が両端部域で溝又は突起を有する
ことを特徴とするラチスの支持構造。
【請求項３４】
請求項３２又は３３のラチスの支持構造において、
上記ラチス棒を特定の回転位置に取り付ける制動手段が設けられている
ことを特徴とするラチスの支持構造。
【国際調査報告】
2010504454.tif 000014
2010504454.tif 000015
2010504454.tif 000016
2010504454.tif 000017
2010504454.tif 000018
2010504454.tif 000019